Podtech/llm-jp-corpus-v4-ja_patent huggingface dataset:
【手続補正書】
【提出日】平成17年2月28日(2005.2.28)
【手続補正１】
【補正対象書類名】特許請求の範囲
【補正対象項目名】全文
【補正方法】変更
【補正の内容】
【特許請求の範囲】
【請求項１】
相対的な動きを減じるために、相対的に動く擦れ面（２５）と前記擦れ面に向かって係合力を与えるアクチュエータとの間に取付けられるようになされており、
係合力を与える第一の面（１４）、および第二の面（１６）を有する後部プレート（１２）と、
第二の面から突出し、擦れ面に支えられるように配置される擦れ端部（２４）、および実質的に長手方向に延在する係合力軸線（２２）に沿って後部プレート構造から前記係合力を与えられるように配置される押圧端部（２８）をそれぞれが有している複数の個別の摩擦部材（２０）とを含んで構成され、前記摩擦部材は金属製の支持手段（５０）によって後部プレートに対して支持されており、前記支持手段は後部プレートの第一の面に対して弾性的に偏倚可能で、後部プレートの第一の面に与えられた係合力を前記摩擦部材に伝達して、後部プレートへ向かう摩擦部材の動きに対抗する押圧力を摩擦部材に作用させるように作動可能な摩擦パッド（１０）であって、
金属製の支持手段（５０）は摩擦部材の各々につき一つの独特に組合わされたシート金属製の支持ばねフィンガ（５２；７５２）を含み、前記支持ばねフィンガは長手方向のフィンガ軸線（５４）に沿って間隔を隔てられた第一および第二の端部領域（５６，５８；７５６，７５８）を有しており、前記第一および第二の端部領域は一体形成されている中央領域（６０；７６０）で結合されており、
前記第一の端部領域は後部プレートの表面に配置されており、
前記第二の端部領域は第一の端部領域と実質的に平行に延在し、少なくとも係合力軸線に沿う動きを抑制されている摩擦部材を支持しており、
第一および第二の端部領域の間を延在する前記中央領域は、後部プレートから第二の端部領域を引離すために後部プレートに対して鋭角に傾斜しており、また後部プレートへ向かう前記第二の端部領域の回復可能な動きを可能にするために第一および第二の端部領域に少なくとも隣接した位置で弾性的に偏倚可能であることを特徴とする摩擦パッド。
【請求項２】
中央領域（６０）が実質的に平坦であり、後部プレートの第二の面に対して実質的に一定の傾斜角度で延在していることを特徴とする請求項１に記載された摩擦パッド。
【請求項３】
少なくとも一つの支持ばねフィンガ（５２）が後部プレートの表面に接触された状態で固定されることを特徴とする請求項１または請求項２に記載された摩擦パッド。
【請求項４】
後部プレートに対して固定され、支持ばねフィンガの第一の端部領域（４５６）および中央領域（４６０）の少なくとも一部に重なるように配置され、中央領域を押圧して前記所定の鋭角な傾斜を形成するように作用可能な初期応力付与手段（４８０）を有し、これにより第二の端部領域（４５８）および支持された摩擦部材が初期応力付与手段によって加えられる前記力を超える係合力にのみ応答して移動可能である請求項３に記載された摩擦パッド。
【請求項５】
各々の摩擦部材は押圧端部に基部（４２，１４２，２４２）を有する摩擦材料（４６，２４６）の容器（４０，１４０，２４０）を含み、前記基部から擦れ端部へ向かって側壁が延在しており、前記側壁は摩擦材料を取囲むと共に摩擦材料と一緒に侵食されるようにされており、底部は摩擦材料が着座する容器床（４８，１４９）を形成していることを特徴とする請求項１から請求項４までのいずれか一項に記載された摩擦パッド。
【請求項６】
摩擦部材抑制手段（７８）が押圧端部（２８）に緊締手段（７８）を含んでおり、前記緊締手段は容器の基部およびそれに組合わされた支持ばねフィンガの第二の端部領域（５８）を通して係合力軸線（２２）に沿って延在し、摩擦部材が支持ばねフィンガに対して動かないように摩擦部材を支持ばねフィンガに固定するように作用可能であることを特徴とする請求項５に記載された摩擦パッド。
【請求項７】
後部プレートの第二の面（１６）が凹部（５８６；６８６；８８６）を含み、前記凹部は、少なくとも摩擦部材が後部プレートへ向かって偏倚したときに、摩擦部材の押圧端部の少なくとも一部分と、支持ばねフィンガの第二の端部領域との少なくとも一方を受入れるように作用できることを特徴とする請求項１から請求項６までのいずれか一項に記載された摩擦パッド。
【請求項８】
少なくとも摩擦部材（６２０）が後部プレートへ向かって偏倚したときに摩擦部材の押圧端部の少なくとも一部分を受入れるように作用できる凹部（６８６；８８６）が後部プレートの第二の面に設けられており、また、後部プレートに沿う方向に支持ばねフィンガの前記第二の端部領域（６５８；８５８）を受入れて、摩擦部材が後部プレートの第一の面から離れる方向へ動くことを制止するように作用可能な摩擦部材の押圧端部の横方向穴（６７８）と、後部プレートに沿う摩擦部材の動きを制止するために凹部の壁上に支持された支持部分とを含む摩擦部材抑制手段を具備することを特徴とする請求項５に記載された摩擦パッド。
【請求項９】
第二の端部領域は第一の端部領域（５６）と実質的に平行のまま残されるように支持ばねフィンガ（５２）の中央領域（６０）が偏倚するように構成されたことを特徴とする請求項１から請求項８までのいずれか一項に記載された摩擦パッド。
(57)【要約】      （修正有）【課題】老若男女問わず必要とする時があるが、特に高齢化社会において高齢者の多くが杖を使用され、中には足や腰が弱く杖を地面に落とすと、すぐに杖を拾い上げることが難しい人もある。そんな現状において不便さを解消する、杖起し板付き杖を提供する。【解決手段】多数の穴５のある四角板３の中央に取り付けられた連結具４に杖本体２の先端を差し込み四角板３と杖本体２を一体化させた杖起し板付き杖１である。【選択図】図１
0003235565.tif 000002
【実用新案登録請求の範囲】
【請求項１】
杖起し板付き杖１であって、地面の密着防止を防ぐ多数の穴５を有する滑りにくい素材の四角板３の中央に、四角板３と杖本体２を一体化する連結具４が取り付けられ、前記連結具４に杖本体２の先端が差し込まれており、
前記杖起し板付き杖１の使用時は四角板３の体に対してたての一辺に前記杖本体２が手元に戻るための踏み込み部を備えたことを特徴とする杖起し板付き杖１。
【考案の詳細な説明】
【技術分野】
【０００１】  本考案の杖起し板付き杖は、杖を地に落とした時、しゃがむことなく杖を手元に戻すことができる杖に関するものである。
【背景技術】
【０００２】  老若男女を問わず、杖は日常生活で必要とすることがある。杖をうっかり地に落とした時、拾い上げることに難儀している人を見かける。
【考案が解決しようとする課題】
【０００３】    老若男女を問わず、杖を必要とする人があり、特に足腰の弱くなった高齢者は、うっかり杖を地に落とすと、すぐに拾い上げることが容易ではないという不自由を解決するものである。
【課題を解決するための手段】
【０００４】  本考案の杖起し板付き杖は杖の先端に滑りにくい素材の四角板が取り付けられており、この四角板にはぬれても床などに密着しないように多数の穴が設けられている。また、この四角板の大きさは杖の使用時、歩行に邪魔にならない大きさであることを特徴とする。
【考案の効果】
【０００５】  本考案は杖を使用中、杖を地に落としても四角板の一辺を足で軽く踏むだけで、杖の持ち手が手元に戻るので便利である。
【図面の簡単な説明】
【０００６】
【図１】  杖起し板付き杖の正面図
【図２】  杖起し板付き杖の分解図
【図３】  杖起し板付き杖が地に落ちている図
【図４】  落ちた杖を杖起し板付き杖の四角板を軽く踏んでいる図
【図５】  杖起し板付き杖が起こされている途中の図
【図６】  杖起し板付き杖が手元に戻った図
【考案を実施するための形態】
【０００７】  本考案の杖起し板付き杖は、杖本体が連結具により、滑りにくい素材で多数穴のある四角板と一体化した杖起し板付き杖である。
【０００８】  図１は杖起し板付き杖であって、図２は杖起し板付き杖を分解した図であり、四角板と杖本体は連結具により一体化される。図３は杖起し板付き杖を地に落ちた状態の図であり、図４は落ちた杖を杖起し板付き杖の四角板の一辺を軽く踏んでいる図である。この時杖が自分の方へ向かって来ないように体に平行な辺を踏まずたて辺を踏む。図５は杖起し板付き杖が起こされている途中の図であり、図６は杖起し板付き杖は手元に戻った図である。
図４に示すように、杖本体が地に落ちた時は、杖起し板付き杖の四角板の体に対してたての一辺を軽く踏むだけで、杖は起きて手元に戻るよう踏み込み部を備えたので、腰を曲げたりしゃがんだりすることなく素早く杖本体を手にすることができる。
また、四角板には多数の穴があり、雨の日などで濡れたフロアで四角板が密着せず、滑りにくくするので安全かつ便利である。
【０００９】  図４に示すように自転車用方向指示器１の使用時指で矢印型反射プレート７の先端を軽く時計回りに回し上げ、図５はその動作途中の正面図である。使用後は図６に示すように矢印型反射プレート７の先端を時計反対回り回し上げれば自然に元に位置に戻る。また図７に示すようにたて棒２の高さは並走車や対抗車に見えやすい高さでありよこ棒３はハンドル９の幅からはみ出さず並走車への支障はない。指一本で並走車や対向車に速やかに意思表示できるので交通事故の危険が軽減される。
【符号の説明】
【００１０】１  杖起し板付き杖
２  杖本体
３  四角板
４  連結具
５  密着防止穴
【図１】
0003235565.tif 000003
【図２】
0003235565.tif 000004
【図３】
0003235565.tif 000005
【図４】
0003235565.tif 000006
【図５】
0003235565.tif 000007
【図６】
0003235565.tif 000008
(57)【要約】      （修正有）【課題】二輪車玩具の本体を左右から手の指で摘まむことなく移動させて遊ぶことが出来る玩具を提供する。【解決手段】二輪車玩具の前後車輪内側に手の指が入る大きさの穴２、３を開けた玩具であり、穴２、３に通した手の指で玩具本体１を固定して遊ぶ事が出来る。【選択図】図１
0003235568.tif 000002
【実用新案登録請求の範囲】
【請求項１】
前輪と後輪の内側に開いた穴に手の指を通して遊ぶ事が出来る二輪車の玩具
【考案の詳細な説明】
【技術分野】
【０００１】手の指を使って遊ぶ事が出来る二輪車の玩具
【背景技術】
【０００２】手の指先を使用して遊ぶ玩具には、フィンガースケートボードやハンドスピナーなどが存在する。
【先行技術文献】
【特許文献】
【０００３】
【特許文献１】公開特許公報２００５−２７０１９６  二輪走行玩具
【特許文献２】登録実用新案公報  第３０５３４２１号  スケートボード玩具
【非特許文献】
【０００４】
【非特許文献１】「スピンマスター  ＢＭＸ」ｈｔｔｐｓ：／／ｗｗｗ．ｓｐｉｎｍａｓｔｅｒ．ｃｏｍ／ｅｎ−ＵＳ／ｂｒａｎｄｓ／ｔｅｃｈ−ｄｅｃｋ／ｔｅｃｈ−ｄｅｃｋ−ｂｍｘ−ｆｉｎｇｅｒ−ｂｉｋｅ−ｓｔｙｌｅｓ−ｍａｙ−ｖａｒｙ／
【考案の概要】
【考案が解決しようとする課題】
【０００５】手の指先だけで動かして遊ぶ玩具において自立しない二輪車は、玩具本体を左右から指で掴んで動かす以外の方法で遊ぶことが困難である。
【課題を解決するための手段】
【０００６】二輪車玩具の前後車輪の内側に手の指を通す事が可能な大きさの穴を開け指二本で玩具本体を固定して動かして遊ぶことが出来るようにする。
【考案の効果】
【０００７】車輪内側の穴を利用して玩具本体を手の指二本で掴み固定することが出来るので玩具本体を左右から指で掴むこと無く遊ぶ事が出来きる。
【図面の簡単な説明】
【０００８】
【図１】二輪車玩具の左横から見た図（側面図）
【図２】上から見た図（平面図）
【図３】前から見た図（正面図）
【図４】前後車輪内側の穴に手の指を通している図
【考案を実施するための形態】
【０００９】二輪車玩具の前後車輪内側（図１（２）（３））に手の指を通す事が可能な大きさの穴を開ける。
【実施例】
【００１０】前輪内側の穴に中指を通し、後輪の穴に人差し指を通して（図３）玩具本体（図１（１））を指で固定して遊ぶことが出来る。
【産業上の利用可能性】
【００１１】自転車や二輪自動車メーカーのオリジナル商品やノベルティグッズとして需要が期待できる。今後は、大きなサイズの二輪車や四輪車輪への応用も可能。ハンドルが稼働するものや車輪の穴にベアリングを組み込むことで回転する車輪を組合せた玩具も製作が可能である。
【符号の説明】
【００１２】（１）二輪車玩具本体
（２）前輪内側の穴
（３）後輪内側の穴
【図１】
0003235568.tif 000003
【図２】
0003235568.tif 000004
【図３】
0003235568.tif 000005
【図４】
0003235568.tif 000006
(57)【要約】      （修正有）【課題】犬の糞を落ちる前に受け取り、かつ落としてしまった場合にも、一体となった汚れ防止のカバー付き火ばさみを使用することで、火ばさみを汚すことなく糞を拾え、かつ多頭散歩時でも、一枚の袋で対応でき、散歩袋にいれても糞が飛び出さない、犬の糞の受け取り機を提供する。【解決手段】火ばさみ１にカバー３を付け、糞を入れる袋４のポケット５に火ばさみを差し込む。火ばさみにより袋の口を開閉でき、ロック２により閉じている状態を保持できる構造とした。【選択図】図４
0003235567.tif 000002
【実用新案登録請求の範囲】
【請求項１】
火ばさみの先に取り付ける使い捨てカバー。
【請求項２】
火ばさみ又はカバーを付けた火ばさみが、抜き差しできるポケットのついた袋。
【考案の詳細な説明】
【技術分野】
【０００１】  本考案は、犬が糞をするとき地面に落ちる前に受け取り、受け取り損ねた場合も火ばさみを汚さず糞を取ることのできる器具である。
【背景技術】
【０００２】  従来から犬の糞を処理する道具は、糞が地面に落ちる前に受け取るもの、糞をしてから拾うものなどがあった。
一枚の板紙を折り曲げその凹部で糞を受け取ったり（特許文献１）、口を広げた袋を取り付け糞を受け取るもの（特許文献２）、落ちた糞をマジックハンドのような開閉式のスコップで拾うもの（特許文献３）などが知られている。
【先行技術文献】
【０００３】
【特許文献】
【特許文献】特開  ２０２１−８３３７３号
【特許文献】実登  ３２０９８４６号
【特許文献】特開  ２０１４−７３０８５号
【考案の概要】
【考案が解決しようとする課題】
【０００４】  従来のものは次のような欠点があった。
（イ）糞が落ちる前に受け取るタイプのものは、そもそも間に合わず落ちてしまった場合、また受け取り損ねた場合、どうするのか。
ロ）糞をした後、拾うタイプのものはスコップ部、火ばさみなどは先端部が糞に直接触れて汚れてしまう。
（ハ）マジックハンドの構造で糞を拾うタイプのものは部品点数が多く、可動部の強度の確保などで、コストの面で価格が上がる。
（二）多頭で散歩の場合、数枚の袋が必要となるときがある。
以上の問題を解決するために考案されたものである。
【課題を解決するための手段】
【０００５】  火ばさみを（１）、ロックを（２）とし、火ばさみの汚れを防止するカバーを（３）とする。
袋を（４）、火ばさみを差し込むポケットを（５）とし、ポケット（５）にカバー（３）を付けた火ばさみ（１）を奥まで差し込むみ取り付ける。
以上の構成による犬の糞をとる器具。
【考案の効果】
【０００６】  本考案は、手を汚さずに糞を受け取ることができ、間に合わず落ちた場合などでもカバーを付けた火ばさみを袋から抜き取り糞を拾い、その後汚れたカバーを糞と一緒に袋の中に捨てることで、火ばさみを汚すことがない。また、カバーを外した状態でも火ばさみを袋に取り付けることができる。
糞を落とさず受け取ることができれば、カバーは交換の必要がないので経済的である。
糞を受け取った後に火ばさみのロックをかければ袋の口が閉じ、そのまま散歩用のバッグに入れても糞が飛び出ることがなく、多頭で散歩したときなど、ロックを解除すれば袋の口が開くので二頭目、三頭目の糞を同じ袋に入れることが可能であり、何枚も袋を消費することがなく経済的である。
構造が複雑ではなく、使用方法が簡単である。
【図面の簡単な説明】
【０００７】
【図１】  火ばさみと汚れ防止のカバー
【図２】  火ばさみに汚れ防止のカバーを取り付けた図
【図３】  袋と火ばさみを差し込むポケットの図
【図４】  カバーを付けた火ばさみを袋に取り付けた状態の図
【図５】  袋を閉じ火ばさみにロックをかけた図
【考案を実施するための形態】
【０００８】以下、本考案の実施の形態を説明する。
（イ）火ばさみ（１）の先端に汚れ防止のカバー（３）を差し込む。
（ロ）袋（４）のポケット（５）へ、カバー（３）を付けた火ばさみ（１）を差し込む。
本考案は、以上の構成よりなる。
【実施例】
【０００９】本考案を使用する場合は、火ばさみ（１）の動きに合わせて袋（４）が開閉するので、犬が糞をしそうなときに落ちてくる場所を予測し袋（４）の口を広げて糞を受け取る。糞を受け取ったら、火ばさみ（１）にロック（２）をかけると袋の口が閉じる。糞が地面に落ちた場合などは、袋（４）からカバー付き火ばさみ（１）を取り外し、糞を拾う。
直接、糞に触れたカバー（３）は取り外し袋の中に捨てる。
【符号の説明】
【００１０】１  火ばさみ
２  ロック
３  カバー
４  袋
５  ポケット
【図１】
0003235567.tif 000003
【図２】
0003235567.tif 000004
【図３】
0003235567.tif 000005
【図４】
0003235567.tif 000006
【図５】
0003235567.tif 000007
(57)【要約】      （修正有）【課題】高速道路にあるＥＴＣレーンを車両が通過する場合には徐行が必要であるがこの徐行を確実に実施させて事故の発生を防止する、徐行誘発体を提供する。【解決手段】ＥＴＣレーン１００の設置場所の手前に凹凸１や突起物を配置する徐行誘発体を設け、車両に微振動を与えて事故を防止する。【選択図】図１
0003235564.tif 000002
【実用新案登録請求の範囲】
【請求項１】
ＥＴＣレーンの有る道路の前記ＥＴＣレーンの設置場所より前方の前記道路の部分に形成される突起体であって、前記突起体は前記道路を通過する通過体（例えば車両）に微振動を付加する凹凸体からなることを特徴とする徐行誘発体。
【請求項２】
前記突起体の形状が、前記道路に形成される凹凸又は前記道路に敷設される数列の突起物からなることを特徴とする請求項１に記載の徐行誘発体。
【考案の詳細な説明】
【技術分野】
【０００１】  本考案は、例えば高速道路の如き道路に形成される突起体からなり、前記道路を通過する通過体に微振動を与えて徐行を誘発するものであり、特にＥＴＣレーンのある高速道路において前記ＥＴＣレーンの設置場所より前方に形成される突起体からなる徐行誘発体に関する。
【背景技術】
【０００２】Ｂ
高速道路においてはＥＴＣレーンが出口の近傍に配置されている。このＥＴＣレーンを通過する通行体（例えば車両）はＥＴＣレーンを安全に通過するため徐行が義務付けられている。
ＥＴＣレーンには開閉アームが配置され、この開閉アームが開放された状態で通行体（車両）は徐行することが必要であるが、この徐行をもし行ない場合は通行体は開閉アームに衝突し、大きな事故が発生する。また、その場所に後続車が追突する事故が発生する可能性がある。現在通行体はＥＴＣレーンの前方で徐行するのが当然としているが中にはうっかりして徐行しないで慌てて徐行する通行体もあり、ＥＴＣレーンの場所でのトラブルが発生する可能性がある。しかしながら現在ではこのトラブルを防止する具体的の手段はない。
。
【考案の概要】
【考案が解決しようとする課題】
【０００３】以上の不具合を解除することが必要と考え本考案を考案したものあり，ＥＴＣレーンのある道路の手前に車両に微振動を与えるものが有れば車両は必ず徐行するものと考えて本考案を出願したものである。
【課題を解決するための手段】
【０００４】以上の徐行誘発体としは各種のものが考えられるが、例えばＥＴＣレーンの如き構造体を通過する場合に必ず徐行なる。
［０００６］の各種色することを知らせる手段が有れば事故を確実に防止することができると思料する。そこで、本考案は請求項１はＥＴＣレーンの有る道路の前記ＥＴＣレーンの設置場所よりも前方の前記ＥＴＣレーン前記道路の部分に形成される突起体であって、該突起体は前記道路を通過する通過体（例えば車両）に微振動を付加する凹凸からなることを特徴とする徐行誘発体で数列の突起物からなること特徴とする徐行誘発体である。
。
【考案の効果】
【０００５】本あり、また、請求項２は前記突起体の形態が前記道路に形成される凹凸又は前記道路に敷設される考案の徐行誘発体の存在により通過体は必ず徐行を行うことになり、例えばＥＴＣレーンにおける事故が確実に防止される。
【図面の簡単な説明】
【０００６】
【図１】ＥＴＣレーンのある道路に形成される凹凸を示す断面図。
【図２】ＥＴＣレーンのある道路に敷設される突起物を示す断面図。
【図３】ＥＴＣレーンのある道路を通過する車両等を示す斜視図。
【考案を実施するたのめの手段】
【０００７】  図３に示すように高速道路８の出入口にはＥＴＣレーン１００が設置され、高速道路８を使用する車両４にはＥＴＣユニット５や受付用アンテナ６等が設けられている。ＥＴＣレーン１００には発信用アンテナ装置７や開閉アーム３等が設けられている。
ＥＴＣレーン１００を通過する車両４は開閉アーム３が完全開放された状態で通過することが義務つけられており、もし車両４が徐行しない場合には開閉アーム３に車両４が衝突するっ事故や数台の追突事故が発生する恐れがある。
【０００８】  図１は車両４等の徐行を必ず実施させるための安全策の一つを示すもので高速道路８にあるＥＴＣレーン１００の手前に形成される凹凸１を示す。
【０００９】また、図２は高速道路８に設置される突起物２を示す。この突起物２としたは例えば細長のゴム体の如きものが挙げられる。
【００１０】以上の凹凸１や突起物２の存在により車両４には微振動が与えられ、これにより車両４は必ず徐行することになる。これによりＥＴＣレーン１００における通過が安全に行はれＥＴＣレーン１００における追突等の事故を完全に防止することが出来る。
【００１１】本考案は以上ものからなるがこの内容に限定するものでなく同一技術的範囲のものが適用されることは勿論である。
【産業上の利用可能性】
【００１２】  本考案は未だ実施されていないものであり、この利用度を高いものと判断している。
【符号の説明】
【００１３】１  凹凸
２  突起物
３  開閉アーム
４  車両
５  ＥＴＣユニット
６  受付用アンテナ
７  発信用アンテナ
８  高速道路
【図１】
0003235564.tif 000003
【図２】
0003235564.tif 000004
【図３】
0003235564.tif 000005
(57)【要約】      （修正有）【課題】土農耕具の柄の先端につけた器具輪環部のくさびの脱落を防止し、且つ作業の衝撃にも強い金属バネくさびを提供する。【解決手段】金属バネくさび１０は、長尺の金属板からなり、金属板の他端をふくらみを持たせて湾曲部２を形成するように折り曲げ、一端側には重合部が形成されないように１枚の金属板からなる差し込み部１を設けた。【選択図】図３
0003235561.tif 000002
【実用新案登録請求の範囲】
【請求項１】
金属板の他端を、ふくらみを持たせて湾曲部が形成されるように折り曲げ、一端側には重合部が形成されないように１枚の金属板からなる差し込み部を設けたことによる金属バネくさび。
【請求項２】
前記金属板はステンレス製であることを特徴とする請求項１に記載の金属バネくさび。
【考案の詳細な説明】
【技術分野】
【０００１】この考案は、柄の先端と器具本体との隙間に、ふくらみをもたせて折り返したステンレス等の金属バネくさびを貫通させて外れないようにしたくさびに関するものである。
【背景技術】
【０００２】  従来、くさびは鍬や斧等の土農耕具の柄の先端器具本体との隙間に嵌着して柄の固定を保つ為のものである。
長い間使用するとひねりや衝撃、あるいは雨中の作業や日照り等、気候や気温の変化の影響を受け、かかる場合、木製の柄が乾燥して細くなり、くさびが外れて柄が抜け、作業を中断せざるを得なくなることが多々あった。【０００３】そこで、上記問題のくさびの抜け出しを防止する為、くさびの表面に複数段のＶ字状の抜け防止用段部を形成して設けたものが出願（特開平７−３０５７０４）され、すでに市販もされている。しかし、この抜け防止対策品も上記に述べたように、経年変化で木製の柄が乾燥して細くなり、くさびが脱落して柄が抜けてしまうというのが現状であり、更なる抜け防止策が求められている。
【先行技術文献】
【０００４】これまでに出願されている、くさびに関する特許文献を参考の為、紹介する。
【特許文献１】特開平７−３０５７０４
【考案の概要】
【考案が解決しようとする課題】
【０００５】そこで、上記課題を解決する為に、この考案はくさびの脱落を防止し、且つ、安全・安価で構造が簡単で、誰もが容易に使用可能な脱落防止用金属バネくさびを提供することにある。【０００６】外れないくさびとする方法は、金属板の一端をふくらみをもたせて折り返し、バネ力を有するようにしたくさびとする。
【考案の効果】
【０００７】金属板にふくらみを持たせて折り返し、その先端部を貫通して打ち込み貫通した両端の金属板は作業中にも圧接する力がひねりや衝撃を吸収し外れないくさびとなる。
ふくらみ部を打ち込むことでバネの反発力によってくさびの役目を果たす。
【図面の簡単な説明】
【０００８】
【図１】本考案の金属バネくさびの正面図である。
【図２】本考案の金属バネくさびの平面図である。
【図３】本考案の使用状態を示すものであって、折り返した両端が器具輪環部を貫通した状態を示す斜視図である。
【考案を実施する為の形態】
【０００９】  この考案を実施する形態として、鍬や斧等の土農耕具の柄の先端器具隙間に嵌着して柄の抜け出しを防止するくさびにおいて、該くさびは金属板にふくらみを持たせて折り返し、ステンレスのバネの効力を活かしたくさびで、器具輪環部を両端が貫通することで抜け出し防止となる。
以下に本考案の実施例を図面を参照して説明する。
【実施例】（１）これらの図において、図１は本考案の金属バネくさびである。
この金属バネくさび（１０）は長尺の金属板からなり、例えばステンレス製である。しかし、この金属板はステンレスに限らず他の金属でも良い。
（２）上記金属バネくさび（１０）は他端側をふくらみを持たせるように折り返し一端側に重ね合わせ湾曲部（２）を形成する。前記金属バネくさび（１０）の正面側または裏面側あるいは両方にすべり止めの凹凸をつけても良い。
（３）これらの図において差し込みを容易にする為、折り返し部を重ねることなく差し込み部（１）をずらして挿入が容易なようにする。
（４）上記構成の金属バネくさび（１０）の使用状態を図３を参照して説明する。
歯部（６）を有する器具（５）の輪かん部（３）に木の柄（４）が挿通される。前記木の柄（４）の先端部と前記輪環部（３）の下側との間の隙間に、金属バネくさび（１０）の先端部に設けた差し込み部（１）を打ち込む。すなわち、金属バネくさび（１０）の湾曲部（２）をハンマー等でたたき、差し込み部（１）の先端が輪かん部（３）を貫通するように打ち込む。
このように構成した金属バネくさび（１０）を使用した器具（５）を例えば農作業に使用する場合、地面から歯部（６）を介して伝達される反発力は、湾曲部（２）によって効果的に吸収される。また、地中の石等に歯部（６）が当たって器具（５）にねじり作用を及ぼすことも有るが、これらの作用力も前記湾曲部（２）によって吸収することができる。
【符号の説明】
【００１０】  １・・・差し込み部
２・・・湾曲部
３・・・輪環部
４・・・木の柄
５・・・器具
６・・・歯部
１０・・金属バネくさび
【図１】
0003235561.tif 000003
【図２】
0003235561.tif 000004
【図３】
0003235561.tif 000005
(57)【要約】      （修正有）【課題】鳥の足裏の負担を軽減し、色彩の多様性に富んだクッション性のある布製鳥用おもちゃを提供する。【解決手段】布製ロープ本体１を鳥かごに取り付けたい形に変形させ、針金ループ２にＳ字フックや金具、ひもなどを通して鳥かごに取り付けて固定させることで、止まり木のようにすることができ、鳥の足裏への負担の軽減に役立つ。【選択図】図１
0003235518.tif 000002
【実用新案登録請求の範囲】
【請求項１】
コットンメリヤス生地を細くカットした布紐に縒りをかけた布製縒り紐とステンレスの針金を素材とし、縒り紐の内部に針金を通すことで、形を自由に変えた上で鳥かご等に固定できるロープ状の布製鳥用おもちゃ。
【請求項２】
コットンメリヤス生地を細くカットした布紐に縒りをかけた布製縒り紐とステンレスの針金を素材とし、縒り紐の内部に針金を通して端をつなぎ合わせて円形に成形し、鳥かご等に吊るしてブランコにできる丸形の布製鳥用おもちゃ。
【考案の詳細な説明】
【技術分野】
【０００１】  本考案は、布紐とステンレスの針金でできたクッション性のある布製鳥用おもちゃである。
【背景技術】
【０００２】  従来の鳥用おもちゃは、プラスチック成型品または木製品が一般的であり、足裏に炎症のある鳥や握る力が弱くなった老鳥には、それらよりも比較的柔らかい綿ロープ製品が推奨されてきた。
【先行技術文献】
【特許文献】
【０００３】
【特許文献１】実開平６−６０３４１号  公報
【考案の概要】
【考案が解決しようとする課題】
【０００４】  しかしながら中実・硬質タイプのプラスチック成型品は鳥の足には硬く、太さも細いものが多い為、鳥の足のサイズと合わず、むしろ足を傷める懸念がある。プラスチック成型品に布紐を巻き付けた製品や天然木などの木製品もあるが、足裏に炎症のある鳥や握力の弱い老鳥にはまだ硬いと言わざるを得ない。それらの製品よりも比較的柔らかいとされる綿ロープ製品も存在するが、綿糸などを縒り固めたものが一般的であるところ、特に足裏に炎症がある鳥にはまだ硬すぎる。加えてそれらの製品は両端にプラスチックや木製の固定パーツを取り付ける為に接着剤を用いている為、手入れの為に水洗いをする際、接着剤が溶解してロープ本体に染み出す可能性も否定できず、鳥に害を及ぼす懸念もある。そのような綿ロープ製品は、鳥がくちばしでロープ本体をつついたり、咬んだりした場合、毛羽立ち、その繊維が鳥の足に絡みつく可能性もある。【０００５】  そこで、本考案はプラスチック成型品、木製品、綿ロープ製品とは異なり、鳥の足を傷付けるおそれがない布紐に着眼し、安全性、色彩の多様性に富んだ布製鳥用おもちゃを提供するところにある。
【課題を解決するための手段】
【０００６】  上記目的達成のため、本考案はコットンメリヤス生地を細くカットした布紐に縒りをかけた布製縒り紐を基本単位として、内部に針金を通して所望の立体構造を形成したものである。【０００７】  単なる布紐ではなく、縒りをかけて縒り紐を構成しているので、適度なクッション性を維持しつつも、組織が強固であり、簡単にくちばしで破損されることはなく、弛緩、毛羽立ち等の懸念もない。布製縒り紐の端部を布紐でしっかりと結ぶことで、縒りの戻りを防止しており、接着剤等を用いること無く形状を維持することができる。【０００８】  染色された布紐を用い、異なる色彩を用いて構成すれば、従来のプラスチック成型品や木製品には見られない色彩の多様性が容易に得られ、これまでの鳥用おもちゃに見られない斬新な外観を付与することができる。【０００９】  図示の各種形状のおもちゃを形成する場合、必要な長さの布製縒り紐を用意し、内部に針金を通してから必要に応じて曲げ、ねじり等の変形を加え、ブランコの場合は端部同士をつなぎ合わせて円形に、ロープの場合は端に針金のループを作成し、かつステンレスのパーツを用いてループを補強することで、立体形状が構成されている。【００１０】  また、基本単位の布製縒り紐の縒りを調整することでクッション性をもたせることができ、凹凸もあるので、すべりにくく、やわらかくて足裏にかかる圧力が分散される為、より負担がかかりにくい構造となっており、問題点を解決している。【００１１】  本考案は、布紐とステンレスの針金を素材とし、接着剤を用いない為、鳥の糞などで汚れた場合に水洗いをすることができ、錆びることもなく、衛生面にも配慮している。【００１２】  布製ロープの場合、基本単位の布製縒り紐の内部にステンレスの針金を通してから、縒り紐の端を結んで結び目を作り、かつ針金の端にループを作って縒りの戻りを防止することで、布製ロープの形を自由に変えることを可能とした。【００１３】  布製ブランコの場合、基本単位の布製縒り紐の内部にステンレスの針金を通して針金の端同士をつなぎ合わせて円形に成形し、丸形の布製ブランコにすることを可能とした。
【考案の効果】
【００１４】  上述のように、本考案の布製鳥用おもちゃは足裏に炎症のある鳥だけでなく、健康な鳥の足にも負担がかからないことは勿論、割れたり、くちばしを傷めたりする懸念がなく、また、布紐ごとに異なる色彩を用いて縒り紐を構成することによって多様な配色を得られ、しかも水洗いをしても錆びることなく、清潔に保つことができ、これまでの鳥用おもちゃには見られない斬新性を付与することができる。
【図面の簡単な説明】
【００１５】
【図１】本考案の布製鳥用おもちゃの実施例を示す正面図である。
【図２】他実施例を示す正面図である。
【図３】コットンメリヤス生地を細くカットした布紐を示す図である。
【符号の説明】
【００１６】１  布製ロープ
２  針金ループ
【図１】
0003235518.tif 000003
【図２】
0003235518.tif 000004
【図３】
0003235518.tif 000005
(57)【要約】      （修正有）【課題】面状のスロープのある部分に静止させた１個の玉を、電気や可動部品を使うことなく別の玉を使って再び動かし始めることができる形状を有する玩具を提供する。【解決手段】重心が中心にあり直径と重さは同じだが外見で識別可能な２個の玉１、および、円形又は楕円形の平板と玉を誘導するための胴とから成る深皿の形状を有し玉を落とすための切り込み又は孔を最下部の左右どちらかに設けたスロープ２、から構成される。【選択図】図４
0003235534.tif 000002
【実用新案登録請求の範囲】
【請求項１】
下記の（１）、（２）から成る装置：（１）重心が中心にあり直径と重さは同じだが外見で識別可能な２個の玉、（２）円形又は楕円形の平板と玉を誘導するための胴とから成る深皿の形状を有し玉を落とすための切り込み又は孔を最下部の左右どちらかに設けたスロープ。
【考案の詳細な説明】
【技術分野】
【０００１】
本考案は、面状のスロープ上で玉を転がして遊ぶ玩具に関するものである。
【背景技術】
【０００２】
静止した玉を別の玉を使って再び動かす玩具はハーフパイプ型のスロープを使うものが考案されたが、面状のスロープを使うものはなかった。
【先行技術文献】
【特許文献】
【０００３】
型
【特許文献１】実願２０２１−００３９３２
【考案の概要】
【考案が解決しようとする課題】
【０００４】
面状のスロープのある部分に静止させた１個の玉を、電気や可動部品を使うことなく別の玉を使って再び動かし始めることができる形状を有する玩具を提供する。
【課題を解決するための手段】
【０００５】
下記の（１）、（２）から成る装置：（１）重心が中心にあり直径と重さは同じだが外見で識別可能な２個の玉、（２）円形又は楕円形の平板と玉を誘導するための胴とから成る深皿の形状を有し玉を落とすための切り込み又は孔を最下部の左右どちらかに設けたスロープ。
【考案の効果】
【０００６】
本考案の玩具は、スロープ内の位置Aに静止させた１個の玉を、位置Bから転がした別の玉を使って再び動かし始めることができるだけるだけでなく、玉が位置Aで静止するコースを取る出発位置もスロープ内に存在するという利点がある。
【図面の簡単な説明】
【０００７】
【図１】図１は、１実施例としてスロープの最上部から玉１が転がり始める直前の状態を示す。
【図２】図２は、１実施例として玉１がスロープの中央線上を転がっている状態を示す。
【図３】図３は、１実施例として玉１にスロープの最下部に到達した状態を示す。
【図４】図４は、１実施例として玉１が最下部に静止しており、玉２が位置Bから転がり始める直前の状態を示す。
【図５】図５は、１実施例として玉２が玉１を衝突する直前の状態を示す。
【図６】図６は、１実施例として玉２が玉１を衝突した直後の状態を示す。
【図７】図７は、１実施例として玉２に弾き飛ばされた玉１が切り込みから落ちようとしている状態を示す。
【考案を実施するための形態】
【０００８】
下記の（１）、（２）から成る装置を用意する：（１）重心が中心にあり直径と重さは同じだが外見で識別可能な２個の玉、（２）円形又は楕円形の平板と玉を誘導するための胴とから成る深皿の形状を有し玉を落とすための切り込み又は孔を最下部の左右どちらかに設けたスロープ。
【実施例１】
【０００９】
本考案のスロープの最上部から玉１を転がすと、玉１はスロープの最下部の最下部に到達するが胴の部分を登れずに静止した。その後、玉２をスロープの切り込みがない側で中央から一番遠い位置から転がすと、玉２は玉１に衝突し、玉１を弾き飛ばして最下部で静止し、玉１は切り込みから落ちた。
【産業上の利用可能性】
【００１０】
本考案の玩具は、スロープ内の色々な場所に玉を置いた場合に玉がどういう動きをするかを観察させる教材や科学展示物としての利用が期待できる。
【図１】
0003235534.tif 000003
【図２】
0003235534.tif 000004
【図３】
0003235534.tif 000005
【図４】
0003235534.tif 000006
【図５】
0003235534.tif 000007
【図６】
0003235534.tif 000008
【図７】
0003235534.tif 000009
(57)【要約】      （修正有）【課題】多様で自由度が大きい接続ができる、多接続マグネットブロックを提供する。【解決手段】多接続マグネットブロックは、立体ブロック１の内部の一面に一つから複数の磁石２を配置し、一面に複数の磁石を配置した場合、複数のＳ極、Ｎ極が外側を向くように配置する。全面に同様に磁石を配置することで、多様な接続を可能にする。【選択図】図１
0003235522.tif 000002
【実用新案登録請求の範囲】
【請求項１】
立体ブロックの内部に複数の磁石を配置し、同様に内部に複数の磁石を配置している立体ブロックとＳ極、Ｎ極の組み合わせで多様な接続ができる、多接続マグネットブロック。
【請求項２】
一つの面に対してもＳ極、Ｎ極が複数点あり、面と面を揃えての接続だけではなく、面をずらして接続できるなどの、多様な接続が可能な多接続マグネットブロック。
【請求項３】
立体ブロック内部の磁石は取り外し、磁極の変更が可能で自由度がある多接続マグネットブロック。
【考案の詳細な説明】
【技術分野】
【０００１】  本稿案は、一つの立体ブロックの内部に複数の磁石を配置する、立体ブロックに関するものである。
【背景技術】
【０００２】  従来、立体の一面のみに一つの磁石を配置したブロック玩具は、種々提案されている。
【考案の概要】
【考案が解決しようとする課題】
【０００３】  立体の一面のみに磁石を配置したブロックでは、他のブロックとの接続には特定の面との接続や、面と面を揃えた接続しかできず自由度が小さい。従って、一つの立体ブロックの内部に複数の磁石を配置し、一つの面に対してもＳ極、Ｎ極が複数点あることで、多様で自由度が大きい接続を実現する。
【課題を解決するための手段】
【０００４】  一つの立体ブロックの内部の一面に一つから複数の磁石を配置し、一面に複数の磁石を配置した場合、複数のＳ極、Ｎ極が外側を向くように配置する。全面にも同様に磁石を配置することで、多様な接続を可能にする。
【考案の効果】
【０００５】  上述の様に、本稿案の多接続マグネットブロックは、面と面で接続することは勿論、内部に複数の磁石を配置しているので、多様な組み合わせでブロック同士の接続ができる。
【図面の簡単な説明】
【０００６】
【図１】本稿案の多接続マグネットブロックの四角柱形立方体ブロック単体を示す外観斜視図である。
【図２】同じく、その四角柱形立方体ブロック単体の構造の実施例を示す横断面図である。
【図３】同じく、本稿案の多接続マグネットブロックの正立方体ブロック単体を示す外観斜視図である。
【図４】同じく、その正立方体ブロック単体の構造の実施例を示す横断面図である。
【図５】同じく、本稿案の多接続マグネットブロックの三角柱形立方体ブロック単体を示す外観斜視図である。
【図６】同じく、その三角柱形立方体ブロック単体の構造の実施例を示す横断面図である。
【図７】同じく、本稿案の多接続マグネットブロックの円柱形立方体ブロック単体を示す外観斜視図である。
【図８】同じく、その円柱形立方体ブロック単体の構造の実施例を示す横断面図である。
【図９】本稿案の多接続マグネットブロックの四角柱形立方体ブロック同士での面と面を揃えての接続例。
【図１０】本稿案の多接続マグネットブロックの四角柱形立方体ブロック同士での面と面をずらしての接続例。
【考案を実施するための形態】
【０００７】  立体ブロックの内部の一面に、一つから複数の磁石を、磁極の向きを自由に配置し、同じく全面に一つから複数の磁石を、磁極の向きを自由に配置することで多用で自由度が大きい接続を可能にする。
【実施例】
【０００８】  以下、この考案の多接続マグネットブロックの実施例を示す。図面により説明すると、図１の立体ブロックを図９のように面と面を揃えての接続は勿論。図１０のように面と面をずらしても接続できる。
【産業上の利用可能性】
【０００９】  本稿案の多接続マグネットブロックは、産業用途での構造物のモデル作成にも応用できる可能性がある。
【符号の説明】
【００１０】１  四角柱形立方体ブロック
２  磁石
３  正立方体ブロック
４  三角柱形立方体ブロック
５  円柱形立方体ブロック
【図１】
0003235522.tif 000003
【図２】
0003235522.tif 000004
【図３】
0003235522.tif 000005
【図４】
0003235522.tif 000006
【図５】
0003235522.tif 000007
【図６】
0003235522.tif 000008
【図７】
0003235522.tif 000009
【図８】
0003235522.tif 000010
【図９】
0003235522.tif 000011
【図１０】
0003235522.tif 000012
(57)【要約】      （修正有）【課題】ゴルフ場打球事故を防ぐ「ファー」の声をボタン一つで大音量で発声する小型の携帯式の警報機器を提供する。【解決手段】警報機器は、本体１を含み、本体１は、スピーカー部２と取って部３に分かれ、内蔵した「ファー」の音声を１２０ｄＢで、スイッチ４を押している間発生し、打球事故を未然に防ぐ。スピーカー部２と取って部３は伸縮できる。防水加工されており雨にも対応する。軽量なのですべてのゴルファーが所持することで、プレーの助けとなり危険を回避できる。【選択図】図１
0003235523.tif 000002
【実用新案登録請求の範囲】
【請求項１】
ゴルフ場で打球事故を回避するための「ファー」という叫び声を、あらかじめ内蔵した小型軽量ハンディタイプの警報機で、プレーヤーはプレー中どんな時も携帯することができ、打球事故の可能性があるときにそのスイッチを押しその間、１２０ｄｂという大音量発声させ危険を知らせることで事故防止を促す警報機器である。
【考案の詳細な説明】
【技術分野】
【０００１】小型ハンディタイプで大音声（１２０ｄＢ）を発生し、屋外で遠くの人にその声で危険を知らせる事故回避発声器である。
事前に録音した言語（ＦＯＲＥ）ファーまたはフォーの一言語のみをスイッチボタンをおしている間中なり続ける。
【背景技術】
【０００２】拡声機や大音量を発生する装置、サイレン等で危険を知らせる従来製品は数ある。また事前に内蔵し録音した人の声を発生するものもあるが、ゴルフ場においてミスショット時に叫ぶ「ファー」の一言語のみを大音声（１２０ｄＢ）で発生し届かせ危険を知らせる、ハンディタイプの小型機械は見受けられない。プレーのだれもが携帯でき、いつでもミスショットの危険を知らせることができる
【先行技術文献】
【特許文献】
【０００３】
【特許文献１】登録実用新案公報  第３０４４２８８号  登録実用新案公報  第３２０８０９４号
【特許文献２】公開実用新案公報  実開平６−４１７５
【考案の概要】
【考案が解決しようとする課題】
【０００４】ゴルフ場において打ったボールが、他のプレーヤーおよびゴルフ場で作業する人々に当たるという打球事故を回避するための機器であると同時に、「ファー」声が聞こえなかった、という問題を解消する。
【課題を解決するための手段】
【０００５】  現在、打球事故を回避するための手段は、打者本人また同伴競技者およびキャディ等の「フォア―」という叫び声で危険を知らせている。しかしながら、その叫び声には個人差があり、声の大きさ、長さ、タイミングもバラバラである。この発声器は危険、打球事故を回避するため１２０ｄｂという大音量を発声するため、野外で天気に影響なく危険を知らせる「ファー」の声を、ボタンを押している間届けることができる。
【考案の効果】
【０００６】  この打球事故回避のための発声器があると、声を出すのが恥ずかしくて出ない、声が小さい、声を出している長さが短すぎる、声を出しているタイミングが打球の飛来しているタイミングと会わない、など個人差によるばらつきがなくなり、安定して大音声を発声できるので、ゴルフ場での打球事故防止につながるものである。
また、１２０ｄｂの大きさは、近年巷である「大声コンテスト」で、優勝者の大きさに匹敵し、野外のゴルフ場でも十分その声が伝わる大きさである。
【図面の簡単な説明】
【０００７】
【図１】本考案のハンディ携帯式打球事故回避大音声発生器の全体図である。
【考案を実施するための形態】
【０００８】  本体には、スピーカー部と本体を握る取っての部分に分かれる。大きさ的には徒競走などで使うピストル程度で、そこにスピーカーを伴った型式だが、スピーカー部と取って部は伸縮する。
スイッチボタンを押し続ける間１２０ｄｂの「ファー」の大音声が鳴り続ける。
【実施例】
【０００９】  以下、添付図面に従ってこの発声器の説明をする。１は本体の全体図で大きさはゴルファーがたやすく持ち運びできる小型である。２はスピーカー部ここから１２０ｄｂの「ファー」の音声がでる。３はハンドル取っての部分で中には「ファー」を録音でき１２０ｄｂを出す装置が内蔵されている。４はスイッチで押している間「ファー」の大音量が流れ続けスイッチを離すと音は止まる。５は伸縮部分でいわゆる自撮り棒のように伸び縮みするそのことで大音量を耳から遠ざける効果となる。
【産業上の利用可能性】
【００１０】  ゴルフ場において打球事故を回避しプレーヤーの安全を確保することは第一の優先事項である。これまでキャディが主にその役目を担ってきたが、昨今ゴルフプレーのセルフ化が進み、本来打球が曲がった際、打球事故の危険性を知らせる「ファー」の大声を出す行為は、ゴルフのマナー、エチケットとしてプレー本人に任されている。しかし昨今、初心者のゴルファー増加に伴い、このようなマナー、エチケットを知らないプレーヤーも増えている。本商品は小型軽量ハンディタイプで持ち運びに便利。いつでもどこでもプレー中携帯することができ、安全を確保する日本全国のゴルフ場約２２００箇所、全国のゴルフアー約８００万人、そして海外のゴルフ場とプレーヤーも対象となる。
ミスショットはいつ何度誰にでも起こる。一人一人のプレーヤーが、この装置を持参することでゴルフ場での打球事故撲滅に活躍するものである。
【符号の説明】
【００１１】１本体
２スピーカー部
３ハンドル取って部
４スイッチボタン
５伸縮部
【図１】
0003235523.tif 000003
(57)【要約】      （修正有）【課題】シルエットで離れたところからでも植物の名称を確認できる植物用ネームプレートを提供する。【解決手段】ネームプレート本体１の名称部分２を切り抜く事で離れた場所からでも名称を確認できる。【選択図】図２
0003235521.tif 000002
【実用新案登録請求の範囲】
【請求項１】
植物用ネームプレート本体が切り抜かれていて、シルエットで名称が確認できる植物用ネームプレート。
【考案の詳細な説明】
【技術分野】
【０００１】  本項案は園芸植物に提供される園芸用ネームプレートに関する物である。
【背景技術】
【０００２】  現在、市場で提供されている園芸用ネームプレートは、植物名が書かれている面をみて確認しないと植物名が分からなく、多くは小さな文字で書かれていて植物の近くまで顔を寄せたり、植物を実際に手に取ってみたりしなければ確認できないことが多く、消費者が商品を選ぶ際に直感的要素に乏しい。多くのネームプレートは時間経過によりインクの劣化や色褪せで、印字されている文字が確認しづらくなっている。
【先行技術文献】
【特許文献】
【０００３】
【特許文献１】特開２００８−２２０３４０（Ｐ２００８−２２０３４０Ａ）
【非特許文献】
【０００４】
【非特許文献１】「ＮＨＫ趣味の園芸  ９月号」、ＮＨＫ出版、２０２１年、Ｐ９７
【考案の概要】
【考案が解決しようとする課題】
【０００５】  従来の園芸用ネームプレートはインクの劣化や色褪せによって確認が困難になる。
従ってネームプレート本体のシルエットで名称の確認を可能にする事により欠点を解決しようとするものである。
【課題を解決するための手段】
【０００６】  本項案ネームプレート自体を植物の名称に型どることによって、印刷によるインクの劣化や色褪せによって確認困難になるという問題点を解決している
【考案の効果】
【０００７】  ネームプレート本体が名称になっている事より表、裏、離れた場所からからでも名称の確認が可能になり、インクの劣化や色褪せにより確認が困難になる事がないので長く使い続ける事ができる。
【図面の簡単な説明】
【０００８】
【図１】本項案のネームプレート使用例
【図２】本項案のネームプレート本体
【考案を実施するための形態】
【０００９】  ネームプレートの杭の部分を土に差して使う。
【符号の説明】
【００１０】  １  ネームプレート本体
２  名称
３  杭
【図１】
0003235521.tif 000003
【図２】
0003235521.tif 000004
(57)【要約】      （修正有）【課題】安全に草刈り作業を行うことができる回転刃用安全カバーを提供する。【解決手段】刈払機の回転刃用安全カバ−において、回転刃用安全カバー部材２の回転刃先端部の入口Ａを外側に折り曲げて、回転刃部材３の進入を容易にした事を特徴として構成した。【選択図】図１
0003235571.tif 000002
【実用新案登録請求の範囲】
【請求項１】
刈払機の回転刃用安全カバ−において、回転刃用安全カバ−部材２の回転刃先端部の入口Ａを外側に折り曲げて、回転刃部材３の進入を容易にした事を特徴とする安全カバ−。
【考案の詳細な説明】
【技術分野】
【０００１】  本考案は草の刈り込み、芝刈り等に使用される、刈払機の回転刃用安全カバ−に関するものである。
【背景技術】
【０００２】  従来の回転刃用安全カバ−は回転刃の外側に設けた構造である。
【考案の概要】
【考案が解決しようとする課題】
【０００３】  作業中の草刈りは大変危険を伴います。従って、直接に回転刃を保護する回転刃用安全カバ−の構造にすることにより、従来は回転刃の外側に設けた安全カバ−構造であるために、危険を伴った安全カバ−となっている欠点を解決しようとするものである。
【課題を解決するための手段】
【０００４】  本考案は、刈払機の回転刃用安全カバ−において、回転刃用安全カバ−部材２の回転刃先端部の入口Ａを外側に折り曲げて、回転刃部材３の進入を容易にした事を特徴とし、直接に回転刃を保護する安全カバ−にする事により問題点を解決している。
【考案の効果】
【０００５】上述の様に、本考案の回転刃用安全カバ−部材２は直接に回転刃部材３を保護する構造なので、安全に草刈り作業が出来る効果がある。
【図面の簡単な説明】
【０００６】
【図１】  本考案を実施した回転刃用安全カバ−の外観図
【図２】  従来の回転刃用安全カバ−の詳細図
【考案を実施するための形態】
【０００７】  回転刃用安全カバ−部材２の回転刃先端部の入口Ａを外側に折り曲げて、回転刃部材３の進入を容易にした事により、回転刃部材３を高速回転させることができる構造になっている。
【実施例】
【０００８】  以下、添付図面に従って、一実施例を説明する。Ｍは回転刃用安全カバ−付き刈払機の外観図で、操作棹取付部材１に刈払機動力部材（図示せず）を接続している。回転刃用安全カバ−部材２は操作棹取付部材１に固定する。回転刃用安全カバ−部材２は回転刃先端部の入口Ａを外側に折り曲げて、回転刃部材３の進入を容易にした事により、回転刃部材３を高速回転させることができる構造になっている。【０００９】  本考案の一実施例は上述の如きに構成されているから、回転刃部材３は高速回転で運転して草刈り作業を行うことが可能になる。
【符号の説明】
【００１０】１    操作棹取付部材
２    回転刃用安全カバ−部材
３    回転刃部材
Ａ    回転刃用安全カバ−部材２の回転刃先端部の入口
Ｂ    回転刃部材３の先端部
0003235571.tif 000003
【図１】
0003235571.tif 000004
【図２】
0003235571.tif 000005